(57)【要約】【課題】  表示画面を備えた電気光学表示体を備えた回転型の表示装置において、電気光学表示体の温度上昇を低減することのできる構成を提供する。【解決手段】  本発明の電気光学装置は、表示画面１１０Ａを備えた電気光学表示体１１０と、電気光学表示体を自転可能に案内する軸支構造１２０とを有する電気光学装置であって、電気光学表示体には、電気光学表示体の自転により電気光学表示体の周囲に気流を発生する羽根１１０Ｆが設けられていることを特徴とする。【選択図】図１
2005189619.tif 000002
【特許請求の範囲】
【請求項１】
表示画面を備えた電気光学表示体と、前記電気光学表示体を自転可能に案内する軸支構造とを有する電気光学装置であって、
前記電気光学表示体には、前記電気光学表示体の自転により前記電気光学表示体の周囲に気流を発生する羽根が設けられていることを特徴とする電気光学装置。
【請求項２】
前記羽根は、前記電気光学表示体の自転により前記電気光学表示体の外表面に沿った気流を生ずるように構成されていることを特徴とする請求項１に記載の電気光学装置。
【請求項３】
前記羽根は、前記電気光学表示体の自転により前記電気光学表示体の自転軸の方向に気流を生ずるように構成されていることを特徴とする請求項２に記載の電気光学装置。
【請求項４】
前記羽根は、前記電気光学表示体の自転軸の方向にある端部に設けられていることを特徴とする請求項１乃至３のいずれか一項に記載の電気光学装置。
【請求項５】
前記羽根は、前記電気光学表示体の前記自転軸の方向にある両端部にそれぞれ設けられていることを特徴とする請求項４に記載の電気光学装置。
【請求項６】
前記自転軸の方向の一方の前記端部に設けられた前記羽根と、他方の前記端部に設けられた前記羽根とは、前記電気光学表示体が自転するときに前記自転軸の方向の共通の向きに気流を生ずるように構成されていることを特徴とする請求項５に記載の電気光学装置。
【請求項７】
前記羽根は、前記電気光学表示体の自転により下部から上部へと向かう前記気流を形成することを特徴とする請求項１乃至６のいずれか一項に記載の電気光学装置。
【請求項８】
前記電気光学表示体を覆う保護部材を有し、該保護部材には、前記気流の導入口及び導出口が設けられていることを特徴とする請求項１乃至７のいずれか一項に記載の電気光学装置。
【請求項９】
請求項１乃至８のいずれか一項に記載の電気光学装置と、前記電気光学表示体を回転駆動する駆動手段と、前記電気光学表示体の前記表示画面を表示制御する表示制御手段とを有することを特徴とする電子機器。
【発明の詳細な説明】
【技術分野】
【０００１】
本発明は電気光学装置及び電子機器に係り、特に、表示画面を自転させて所要の表示態様を得るように構成された表示装置として用いる場合に好適な電気光学装置の構成に関する。
【背景技術】
【０００２】
従来から、表示画面を備えた液晶表示体を自転させることにより、異なる方向に異なる画像を表示したり、３次元的な画像を形成したりする回転型のバーチャルディスプレイシステムが知られている（例えば、以下の非特許文献１参照）。この種のシステムでは、液晶表示体を高速に自転させるとともに、その自転周期に同期させて表示画面を切り換えることで、視覚の残像を利用して特定方向から静止画像や動画を視認できるように構成されている。
【０００３】
また、上記のシステムと類似した装置として、自転するスクリーンに対して立体の断面像を投影する手段を備えた立体画像表示装置がある（例えば、以下の特許文献１参照）。この装置は、自転するスクリーンに表示対象物の断面画像を順次投影することにより、視覚の残像効果を利用して立面画像を表示する。この立体画像表示装置は、スクリーンに立体画像を構成する断面画像を投影するための光学系や各種データ処理を行うためのハウジング、及び、ハウジングの上部に設けられて内部に回転するスクリーンを収容する円筒状の風防を備えている。この風防はスクリーンを収容する内部空間を密閉している。
【非特許文献１】前田寛幸、他３名、「実空間ビデオアバタのための全周ディスプレイシステムの試作と評価」  日本バーチャルリアリティ学界第８回大会論文集  Ｐ．１１５−１１８（２００３年９月）
【特許文献１】特開２００１−１９７５２４号公報
【発明の開示】
【発明が解決しようとする課題】
【０００４】
しかしながら、上記従来のバーチャルディスプレイシステムでは、液晶表示体の表示画面が特定角度方向を向いたときに所定の画像を表示するように構成することにより、視覚の残像効果によって特定角度方向において静止画像や動画が視認可能となるように構成したものである。したがって、当該特定角度方向においては表示画面の回転周期毎に一回だけ表示がなされるだけであるため、静止した表示画面に較べて画像の表示時間は大幅に短くなり、その分表示画面が暗く感じられてしまう。したがって、このシステムにおいて、静止した通常の液晶表示体に近い表示の明るさを得ようとすれば、表示画面の輝度を通常の液晶表示体よりも大幅に高める必要がある。ところが、このように表示画面の輝度を大幅に高めようとすると、バックライトなどの照明装置の輝度を上昇させるために発熱量が増大し、温度上昇による表示体の不具合、例えば、液晶の配向不良や液晶材料の変質などが生じやすいという問題点がある。
【０００５】
一方、上記従来の立体画像表示装置では、断面画像を回転スクリーン上に投影するように構成しているため、明瞭な画像を表示することが困難であり、表示品位を高めることが難しいという問題点がある。また、風防で密閉された内部空間にスクリーンが収容されているので、画像投射部を介して照射された光によりスクリーンなどで発生した熱が内部空間にこもりやすいという問題点がある。
【０００６】
そこで、本発明は上記問題点を解決するものであり、その課題は、表示画面を備えた電気光学表示体を備えた回転型の表示装置において、電気光学表示体の温度上昇を低減することのできる構成を実現することにある。
【課題を解決するための手段】
【０００７】
本発明の電気光学装置は、表示画面を備えた電気光学表示体と、前記電気光学表示体を自転可能に案内する軸支構造とを有する電気光学装置であって、前記電気光学表示体には、前記電気光学表示体の自転により前記電気光学表示体の周囲に気流を発生する羽根が設けられていることを特徴とする。
【０００８】
これによれば、電気光学表示体に羽根が設けられていることにより、電気光学表示体が自転すると羽根により気流が発生し、この気流により電気光学表示体からの放熱が促進されるので、電気光学表示体の表示画面の明るさを高めても発熱に起因する不具合の発生を抑制できる。
【０００９】
本発明において、前記羽根は、前記電気光学表示体の自転により前記電気光学表示体の外表面に沿った気流を生ずるように構成されていることが好ましい。羽根によって気流が生ずることで電気光学表示体の放熱促進効果が得られるが、特に、羽根によって電気光学表示体の外表面に沿った気流が生ずることにより、さらに効率的な放熱作用を生じさせることができる。
【００１０】
本発明において、前記羽根は、前記電気光学表示体の自転により前記電気光学表示体の自転軸の方向に気流を生ずるように構成されていることが好ましい。これによれば、羽根によって電気光学表示体の自転軸の方向に気流が生ずることにより、電気光学表示体の周囲の空気を効率的に移動させることができるので、放熱をさらに促進させることができる。
【００１１】
本発明において、前記羽根は、前記電気光学表示体の自転軸の方向にある端部に設けられていることが好ましい。これによれば、電気光学表示体の自転軸の方向にある端部に羽根が設けられることにより、羽根の軌跡が表示画面と重なることがなくなるので、表示画面の視認性を損なうことがなくなる。
【００１２】
本発明において、前記羽根は、前記電気光学表示体の前記自転軸の方向にある両端部にそれぞれ設けられていることが好ましい。羽根が自転軸の方向の両端部にそれぞれ設けられていることにより、気流をさらに効率的に発生させることが可能になる。
【００１３】
本発明において、前記自転軸の方向の一方の前記端部に設けられた前記羽根と、他方の前記端部に設けられた前記羽根とは、前記電気光学表示体が自転するときに前記自転軸の方向の共通の向きに気流を生ずるように構成されていることが好ましい。これによって、電気光学表示体の両端部にそれぞれ設けられた羽根によって自転軸の向きに流れる気流をより効率的に発生させることができる。
【００１４】
本発明において、前記羽根は、前記電気光学表示体の自転により下部から上部へと向かう前記気流を形成することが好ましい。これによれば、電気光学表示体の発熱によって暖められた空気が自然に上昇することを妨げずに当該空気を上方へ導くように気流を発生させるので、さらに効率的に放熱を促進することができる。
【００１５】
本発明において、前記電気光学表示体を覆う保護部材を有し、該保護部材には、前記気流の導入口及び導出口が設けられていることが好ましい。これによれば、保護部材によって電気光学表示体を保護することができるとともに電気光学表示体の自転による危険を回避することができる。また、気流の導入口及び導出口を備えた保護部材が設けられることで、羽根によって生ずる気流が保護部材の導入口から導出口に向けた方向に整流されるので、気流の拡散を防止して、電気光学表示体の外表面に気流を集中させることができるなど、さらに効率的に放熱作用を促進させることが可能である。
【００１６】
なお、上記各発明においては、羽根の位置や形状、及び、保護部材の形状や構造（導入口や導出口の位置や形状などを含む。）により、気流の向き、流速、整流効果などを上述のように制御することができる。
【００１７】
本発明の電子機器は、上記のいずれか一項に記載の電気光学装置と、前記電気光学表示体を回転駆動する駆動手段と、前記電気光学表示体の前記表示画面を表示制御する表示制御手段とを有することを特徴とする。本発明の電子機器としては、多方向から同一若しくは異なる画像を視認できる表示機器、立体的な画像を視認できる表示機器、多方向に画像を投影できる画像投射機器などが挙げられる。
【発明を実施するための最良の形態】
【００１８】
次に、添付図面を参照して本発明の実施形態について詳細に説明する。なお、以下に説明する各実施形態は、いずれも本発明に係る電気光学装置を備えた電子機器（表示装置）として説明するが、各種の電子機器に搭載される電気光学装置単体として構成することもできる。また、以下の各実施形態では、電気光学表示体として液晶表示体を用いる構成例のみを示すが、他の電気光学表示体、例えば、エレクトロルミネッセンス表示体、有機エレクトロルミネッセンス表示体、プラズマディスプレイ表示体、電気泳動ディスプレイ表示体、電子放出素子を用いた表示体（Field Emission Display 及び Surface-Conduction Electron-Emitter Display 等）などの各種の電気光学表示体においても本発明を同様に適用することが可能である。
【００１９】
［第１実施形態］
図１は本発明に係る電子機器の第１実施形態である表示装置１００の一部断面斜視図、図２は同表示装置１００の縦断面図である。この表示装置１００は、電気光学表示体１１０と、この電気光学表示体１１０を自転可能に軸支する軸支構造１２０と、電気光学表示体１１０を覆う保護部材１３０とを有する。これらの電気光学表示体１１０、軸支構造１２０及び保護部材１３０は本発明に係る電気光学装置に相当するものである。
【００２０】
電気光学表示体１１０はその表面に表示画面１１０Ａを備えている。また、軸支構造１２０は、電気光学表示体１１０を支持する支持軸１２１と、この支持軸１２１を回転自在に軸支する軸受１２２とを有する。また、ケース１０１には、上記支持軸１２１を回転駆動するための駆動手段である駆動モータ１０２と、支持軸１２１を介して電気光学表示体１１０に電力や制御信号などを供給する制御手段１０３とが収容されている。
【００２１】
電気光学表示体１１０は板状（フラットパネル状）に構成され、少なくとも片面に表示画面１１０Ａを備えている。もっとも、表裏両面にそれぞれ表示画面を備えていてもよい。この電気光学表示体１１０の自転軸１１０Ｘは、表示画面１１０Ａの法線（垂線）と非平行であればよいが、特に表示画面１１０Ａと平行に設定されていることが好ましい。また、図示例では自転軸１１０Ｘは垂直軸であるが、表示画面１１０Ａと平行であれば、斜め方向や水平方向に設定されていてもよい。特に、自転軸１１０Ｘは、図示例のように表示画面１１０Ａ若しくは電気光学表示体１１０の中心部を通過するように設定されていることが望ましい。
【００２２】
電気光学表示体１１０には羽根１１０Ｆが設けられている。この羽根１１０Ｆは、電気光学表示体１１０の自転軸１１０Ｘの方向の端部に固定されている。図示例の場合、羽根１１０Ｆは自転軸１１０Ｘの方向の両端部にそれぞれ設けられている。本実施形態において、複数の羽根１１０Ｆが自転軸１１０Ｘの周りに放射状に配置されることにより、自転軸１１０Ｘを軸線とする軸流ファンが構成されている。また、自転軸１１０Ｘの方向の両側（図示上下両側）に形成された一対の軸流ファンは、相互に同一の向きに気流を発生するように構成されている。具体的には、一対の軸流ファンはいずれも図示上方へ向かう気流を発生するように構成されている。
【００２３】
上記の保護部材１３０は、上記電気光学表示体１１０を覆うように構成されている。保護部材１３０は、透明な素材で構成されていることが望ましいが、その少なくとも一部に上記表示画面１１０Ａを視認可能とする透光部を有するものであればよい。本実施形態では、保護部材１３０は上下端面に導入口１３０ｘ及び導出口１３０ｙを備えた円筒体となっている。なお、この保護部材１３０は、その両端面（上面及び下面）を有する円筒形状であるが、例えば、一方の端面部（下面部）が形成されず、保護部材１３０の下端部がケース１０１に接続されていてもよい。
【００２４】
なお、保護部材１３０の内面１３０ａは、自転する電気光学表示体１１０の軌跡が通過占有する自転空間の外周形状と同軸相似形の内周形状を備えていることが好ましい。これによって、内部の気流の乱れを最小限にとどめることができ、羽根１１０Ｆによる気流による空気の出し入れを効率的に行わせることができる。
【００２５】
保護部材１３０の少なくとも透光部には、その外面若しくは内面における表面反射を低減するための反射防止手段が設けられていることが好ましい。この反射防止手段としては、例えば、保護部材１３０の表面上に形成された反射防止膜（ＡＲコーティング膜）が挙げられる。この反射防止膜としては、下地の保護部材１３０の透光部と屈折率が異なり、可視光の半波長程度の膜厚を有する単層構造を有するものや、屈折率の異なる層を交互に積層させてなる多層構造を有するものなどの、光の干渉を利用して反射光を打ち消すものがある。さらに、保護部材１３０の透光部自体を、反射防止機能を有するもの、たとえば上記の多層構造などで構成してもよい。
【００２６】
本実施形態では、図２に示すように、電気光学表示体１１０が自転すると、その下端部に設けられた羽根１１０Ｆで構成される軸流ファンにより導入口１３０ｘを通して外気が保護部材１３０の内部に導入され、気流が電気光学表示体１１０の外表面に沿って上方に流れ、電気光学表示体１１０の上端部に設けられた羽根ファン１１０Ｆで構成された軸流ファンにより導出口１３０ｙを通して保護部材１３０の外部へと導出される。
【００２７】
図４は、本実施形態の表示装置１００に対する画像情報の供給方法（システム）を模式的に示す概略構成図である。画像情報は、例えば、表示装置１００によって複数（図示例では４つ）の画面を表示する場合、撮影系２００を用いて共通の撮影対象から撮像装置（カメラ）２０１により複数の画像情報を取得し、これらの複数の画像情報を画像合成器２０２によって合成する。この合成画像情報は制御用ＰＣなどの処理装置４００によって処理され、上記の表示装置１００の制御手段１０３に送られる。また、記録系３００に設けられた複数の記録手段３０１にてそれぞれ記録された画像情報を直接処理装置４００によって処理し、上記の表示装置１００に合成画像情報として送ることもできる。
【００２８】
図５は、上記の電気光学表示体１１０を構成する液晶装置の概略斜視図である。電気光学表示体１１０は、ガラスなどで構成される基板１１１と１１２とをシール材１１３を介して貼り合わせ、その内側に図示しない液晶を封入してなる。ここで、液晶はシール材１１３の開口部１１３ａから注入され、その後、封止材１１３ｂによって開口部１１３ａは封鎖されている。基板１１１の内面上には電極１１１ａが形成され、基板１１２の内面上には電極１１２ａが形成され、電極１１１ａと１１２ａとが対向する部分が画素を構成する領域となっている。電極１１１ａは配線１１１ｂに接続され、電極１１２ａは配線１１１ｃに接続されている。
【００２９】
基板１１１には基板１１２の外形よりも張り出してなる基板張出部１１１Ｔが設けられ、この基板張出部１１１Ｔ上に上記配線１１１ｂ，１１１ｃが引き出されている。また、配線１１１ｂの外周側には入力端子列１１５が形成されている。基板張出部１１１Ｔ上には、液晶駆動回路などを構成する半導体装置１１６，１１７が実装されている。半導体装置１１６は上記配線１１１ｂ及び入力端子列１１５に導電接続されている。また、半導体装置１１７は、上記配線１１１ｃと、入力端子列１１５に接続された連絡配線１１４とに導電接続されている。基板張出部１１１Ｔの端部には配線基板１１８が実装され、この配線基板１１８内の各配線は、入力端子列１１５の各端子に導電接続されている。
【００３０】
なお、図示例ではパッシブマトリクス型の液晶パネル構造を示してあるが、本実施形態においては、ＴＦＴ（薄膜トランジスタ）やＴＦＤ（薄膜ダイオード）などの能動素子を備えたアクティブマトリクス型の液晶パネル構造を用いることもできる。また、図示例では透過型の液晶パネル構造を示してあるが、半透過反射型の液晶パネル構造を用いてもよい。
【００３１】
電気光学表示体１１０は、上記液晶パネルの背後に照明装置（バックライト）１１９を備えている。この照明装置１１９は、ＬＥＤなどの発光素子で構成される光源１１９Ａと、この光源１１９Ａに対向配置される端面（光入射面）を備えた導光板１１９Ｂを有し、光源１１９Ａから放出された光を導光板１１９Ｂの上記端面から内部に導入し、その板面から放出するように構成することにより、面状光源として機能するように構成される。具体的には、導光板１１９Ｂの背面側には、光を前面側に反射させる反射板１１９Ｃが配置されることが好ましく、また、導光板１１９Ｂの前面側には、光を拡散させる拡散板や光の照射方向を揃える集光板１１９Ｄなどが配置されることが望ましい。なお、上記光源１１９Ａは上記配線基板１１８に実装されることが望ましい。
【００３２】
図６は、本実施形態の全体構成を示す概略構成図である。本実施形態の上記電気光学表示体１１０には、上述の構成を有する表示パネル１１０Ｐと、この表示パネル１１０Ｐを駆動する駆動回路１１０Ｄが設けられている。この駆動回路１１０Ｄは、上述の半導体装置１１６，１１７によって構成されるが、一般的には、表示パネル１１０Ｐに直接実装されている電子部品（半導体ＩＣなど）、パネル表面上に形成された回路パターン、或いは、表示パネル１１０Ｐに導電接続された回路基板（上記配線基板１１８など）に実装された半導体ＩＣチップ若しくは回路パターンなどの種々の構成が可能である。
【００３３】
制御手段１０３には、主制御部１０３Ａと、電気光学表示体１１０の表示状態を制御する表示制御部１０３Ｃと、上記駆動モータ１０２を駆動する駆動回路１０３Ｄとが設けられている。また、表示制御部１０３Ｃには、表示情報出力源１０３１と、表示情報処理回路１０３２と、電源回路１０３３と、タイミングジェネレータ１０３４と、光源制御回路１０３５とが設けられている。
【００３４】
表示情報出力源１０３１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１０３４によって生成された各種のクロック信号に基づいて、所定フォーマットの画像信号等の形で表示情報を表示情報処理回路１０３２に供給するように構成されている。この表示情報出力源１０３１は、上記主制御部１０３Ａからの制御信号に基づいて表示情報を出力する。
【００３５】
表示情報処理回路１０３２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１１０Ｄへ供給する。駆動回路１１０Ｄは、走査線駆動回路、信号線駆動回路及び検査回路を含む。また、電源回路１０３３は、上述の各構成要素にそれぞれ所定の電圧を供給する。
【００３６】
タイミングジェネレータ１０３４は、主制御部１０３Ａから受ける制御信号に応じてタイミング信号を生成し、これによって表示制御部１０３Ｃの表示制御タイミングを制御する。例えば、電気光学表示体１１０の自転角度位置を検出器１２１ｓ（支持軸１２１の回転角度を検出するエンコーダなどの角度位置検出器などで構成できる。）によって検出する場合には、主制御部１０３Ａが検出器１２１ｓの検出信号に応じてタイミングジェネレータ１０３４を制御することで、表示制御部１０３Ｃの表示制御タイミングを設定し、これによって電気光学表示体１１０の表示タイミングをその自転角度位置に対応させることができる。
【００３７】
光源制御回路１０３５は、主制御部１０３Ａの制御信号に基づいて、電源回路１０３３から供給される電力を照明装置１１９の光源１１９Ａに供給する。光源１０９Ａから放出された光は導光板１０９Ｂに入射して表示パネル１１０Ｐに照射される。この光源制御回路１０３５は、上記制御信号に応じて光源１１９Ａの点灯／非点灯を制御する。また、光源の輝度を制御することも可能である。
【００３８】
以上説明した本実施形態では、保護部材１３０の内部空間には羽根１１０Ｆにより気流が形成されて導入口１３０ｘ及び導出口１３０ｙを通して常に外気の導入及び排出が行われるので、電気光学表示体１１０から発生する熱が保護部材１３０の内部にこもることがなく、電気光学表示体１１０の放熱作用が促進されるため、電気光学表示体１１０の過熱を防止することができる。また、本実施形態では、電気光学表示体１１０の自転によって効率的に気流を発生させることができるため、構造を複雑化することなく、容易に放熱作用を促進できる。
【００３９】
特に、本実施形態では、表示画面１１０Ａが自転しているため、特定方向から視認される表示画像の実際の点灯期間は自転周期の一部に過ぎないことから、表示画面が静止した場合に較べると、表示画面の輝度を大幅に増大させないと表示の明るさやコントラストが低下してしまう。したがって、表示の明るさやコントラストを確保しようとすれば、電気光学表示体１１０の発熱量が静止した表示体よりも大幅に増大する。また、本実施形態では、電気光学表示体１１０の回転駆動をするために駆動モータ１０２で発生する熱の一部も保護部材１３０の内部に伝導する可能性がある。このように、本実施形態では電気光学表示体１１０が過熱しやすい環境にあるので、上記の羽根１１０Ｆによる放熱作用の促進がなければ、過熱による液晶の配向不良や劣化を招く恐れがある。
【００４０】
羽根１１０Ｆは電気光学表示体１１０の自転軸１１０Ｘの両端部に設けられているため、表示画面１１０Ａの手前側に羽根１１０Ｆが通過することはないため、観察者の視野を妨げることがない。また、羽根１１０Ｆは軸流ファンを構成しているので、自転軸１１０Ｘ方向の気流を効率的に発生させることができる。さらに、軸流ファンは、保護部材１３０の導入口１３０ｘの内側位置と、導出口１３０の内側位置にそれぞれ構成されているため、保護部材１３０の内部への気流の導入や外部への気流の導出を効率的に行うことができる。
【００４１】
なお、上記の羽根１１０Ｆの形状や、その配列態様はあくまでも一例であり、図示例はこれらが典型的な軸流ファンを構成する場合について模式的に描いているに過ぎない。したがって、実際には、電気光学表示体１１０の回転速度、保護部材１３０の形状、導入口１３０ｘ及び導出口１３０ｙの位置、開口面積或いは形状などにおうじて適宜に設計されることが好ましい。
【００４２】
［第２実施形態］
次に、図３を参照して、本発明に係る第２実施形態の表示装置１００′について説明する。この実施形態では、図３中の第１実施形態と同一部分には同一符号を付し、また、図３に図示していない点については第１実施形態と同様であるので、それらの説明は省略する。
【００４３】
本実施形態においては、電気光学表示体１１０′に羽根１１０Ｆ′が設けられている点、及び、複数の羽根１１０Ｆ′が自転軸１１０Ｘを中心に放射状に配置されている点では上記第1実施形態と同様である。また、羽根Ｆ１１０′が電気光学表示体１１０′の自転軸１１０Ｘ方向の端部に設けられている点、自転軸１１０Ｘ方向の両端部にそれぞれ設けられている点についても第１実施形態と同様である。
【００４４】
しかしながら、本実施形態の羽根１１０Ｆ′は遠心ファン（例えば、シロッコファンを構成する羽根車など）を構成している点で、第１実施形態とは異なる。また、保護部材１３０′は上下の端面が閉塞された円筒形状を有し、保護部材１３０′の下部には接線方向に開口する導入口１３０ｘ′が設けられ、保護部材１３０′の上部には接線方向に開口する導出口１３０ｙ′が設けられている。
【００４５】
本実施形態では、電気光学表示体１１０′が自転すると、導入口１３０ｘ′を通して導入された外気が下部の遠心ファンによって外周側から内周側へ集められ、これが自転軸１１０Ｘに沿って上方へ気流となって流れ、上部の遠心ファンによって内周側から外周側へ拡散されて、導出口１３０ｙ′を通して外部へと導出される。
【００４６】
なお、本実施形態では、保護部材１３０′の存在及びその導入口１３０ｘ′及び導出口１３０ｙ′の位置及び向きによって、電気光学表示体１１０′の外表面に沿って上方へ向かう気流が形成される。ただし、このような保護部材１３０′の構成がなくても、電気光学表示体１１０′の放熱作用を促進するための気流を形成することは可能である。
【００４７】
この実施形態では、基本的に上記第１実施形態と同様の効果を奏することができる。特に、羽根１１０Ｆ′によって遠心ファンが構成されていることにより、比較的広い設計範囲において高い効率で気流を発生させることができるという利点がある。また、この構成では静風圧を高めやすいため、電気光学表示体１１０′の自転開始直後から放熱効率を高めることができる。さらに、この構成では、保護部材１３０′の導入口１３０ｘ′及び導出口１３０ｙ′を自転軸１１０Ｘの方向に設ける必要がなくなるため、特に、ケース１０１などに邪魔されずに保護部材１３０′の下部に導入口や導出口を設けることができる点、或いは、気流を上方へ排出できない環境などにも対応できる点で有利である。
【００４８】
本実施形態においても、図示の羽根１１０Ｆ′の形状及びその配列（すなわち遠心ファンの構造）は、あくまでも模式的に描いたものに過ぎない。したがって、気流の生成効率を高めるために、或いは、保護部材１３０′の形状や構造に適したものとするために、羽根の形状や配列態様を適宜に設計することが好ましい。例えば、一般的には、図示例の羽根１１０Ｆ′のように単純化された形状とは異なり、自転軸１１０Ｘ方向（上向き）に斜めに向いた表面部分を有する羽根形状とすることが好ましい。
【００４９】
尚、本発明の電気光学装置及び電子機器は、上述の図示例にのみ限定されるものではなく、本発明の要旨を逸脱しない範囲内において種々変更を加え得ることは勿論である。
【図面の簡単な説明】
【００５０】
【図１】第１実施形態の一部断面斜視図。
【図２】第１実施形態の縦断面図。
【図３】第２実施形態の一部断面斜視図。
【図４】実施形態の画像情報供給方法或いはシステムの構成を模式的に示す説明図。
【図５】実施形態に用いる電気光学表示体の構成例を示す概略斜視図。
【図６】実施形態の概略構成を示す概略構成ブロック図。
【符号の説明】
【００５１】
１００，１００′…表示装置、１０１…ケース、１０２…駆動モータ、１０３…制御手段、１１０，１１０′…電気光学表示体、１１０Ａ…表示画面、１１０Ｆ、１１０Ｆ′…羽根、１２０…軸支構造、１３０，１３０′…保護部材、１３０ａ…内面、１３０ｘ、１３０ｘ′…導入口、１３０ｙ、１３０ｙ′…導出口
【図１】
2005189619.tif 000003
【図２】
2005189619.tif 000004
【図３】
2005189619.tif 000005
【図４】
2005189619.tif 000006
【図５】
2005189619.tif 000007
【図６】
2005189619.tif 000008